(57)【要約】【課題】  光芒現象が生じない撮影シーンをより増加させることにより、より正確な光源を撮影したいカメラユーザーの要望に応えるとともに、レンズとしての多様性及び趣味性をより高める。【解決手段】  絞り調整リング３の回動変位により、絞り開口部５の大きさを変更可能な絞り羽根機構Ｍを備えるレンズの絞り装置１を構成するに際し、複数の絞り羽根部４…における各絞り羽根部４…の、少なくとも、一端４ｐ側における縁辺部Ｘｐ，他端４ｑ側における縁辺部Ｘｑ，及び当該一端４ｐ側と当該他端４ｑ側の中間部Ｘｍに、円弧形状部Ｓｃｐ，Ｓｃｑ，Ｓｃｍを形成し、絞り調整リング３の、少なくとも三つの回動変位位置Ｒｐ，Ｒｑ，Ｒｍで、円形状となる円形開口部５ｐ，５ｑ，５ｍを生じさせる絞り羽根機構Ｍを設ける。【選択図】  図１
2020190612.tif 000002
【特許請求の範囲】
【請求項１】
レンズ鏡筒に備える絞り調整リングの回動変位により、当該レンズ鏡筒の内部の周方向に沿って所定間隔置きに配した複数の絞り羽根部の少なくとも一部の部位を径方向へ変位させて、前記レンズ鏡筒の内部の光路を形成する絞り開口部の大きさを変更可能な絞り羽根機構を備えるレンズの絞り装置において、前記複数の絞り羽根部における各絞り羽根部の、少なくとも、一端側における縁辺部，他端側における縁辺部，及び当該一端側と当該他端側の中間部に、円弧形状部を形成し、前記絞り調整リングの、少なくとも三つの回動変位位置で、円形状となる円形開口部を生じさせる絞り羽根機構を備えることを特徴とするレンズの絞り装置。
【請求項２】
前記絞り羽根機構は、前記複数の絞り羽根部として、少なくとも十二枚の絞り羽根部を含むことを特徴とする請求項１記載のレンズの絞り装置。
【請求項３】
前記絞り羽根部は、Ｌ形状のプレート材により形成するとともに、前記一端側における内部側の第一縁辺部に第一の円弧形状部を形成し、前記他端側における内部側の第二縁辺部に第二の円弧形状部を形成し、前記第一縁辺部と前記第二縁辺部間の境界部に第三の円弧形状部を形成してなることを特徴とする請求項１又は２記載のレンズの絞り装置。
【請求項４】
前記絞り羽根部は、前記一端側に、固定筒部により回動可能に支持される回動部を設けるとともに、前記他端側に、前記絞り調整リングの回動変位が伝達される係合部を設けてなることを特徴とする請求項１，２又は３記載のレンズの絞り装置。
【請求項５】
前記絞り羽根部は、各円弧形状部の一又は二以上を、前記絞り調整リングのクリック機構における選定したクリック位置に対応して設けることを特徴とする請求項１〜４のいずれかに記載のレンズの絞り装置。
【発明の詳細な説明】
【技術分野】
【０００１】
本発明は、レンズ鏡筒に備える絞り調整リングの回動変位により内部の光路を形成する絞り開口部の大きさを変更するレンズの絞り装置に関する。
【背景技術】
【０００２】
従来、カメラ等のレンズにおけるレンズ鏡筒に備える絞り調整リングの回動変位により、当該レンズ鏡筒の内部の周方向に沿って所定間隔置きに配した複数の絞り羽根部の少なくとも一部の部位を径方向へ変位させることにより、当該レンズ鏡筒の内部の光路を形成する絞り開口部の大きさを変更可能に構成したレンズの絞り装置としては、特許文献１に開示されるカメラ用絞り装置が知られている。
【０００３】
同文献１に記載される絞り装置は、複数枚の絞り羽根を同時に同じ方向へ回転させて絞り開口を小さくしたとき、絞り羽根が撓まされても、絞り開口を形成する基準面からの変位量を少なくすることができるようにしたカメラ用絞り装置の提供を目的としたものであり、具体的には、６枚の絞り羽根を、羽根軸を地板の羽根取付孔に回転可能に嵌合させ、連結ピンを絞り駆動リングのカム溝に挿入するとともに、各絞り羽根を、羽根軸を設けている基端部から中央部まではフラットに形成し、先端部を、最先端に向けて地板側に緩く湾曲するように形成したものである。これにより、絞り羽根の各先端部は、絞り開口を小さくしていくと、最初は、全体として、絞り開口を形成する基準面よりも地板側に存在しているが、最小絞り開口の制御状態に近づくにつれ、基準面を越えて反対側に撓まされていくように構成される。
【先行技術文献】
【特許文献】
【０００４】
【特許文献１】特開２００９−１６２９２４号公報
【発明の概要】
【発明が解決しようとする課題】
【０００５】
しかし、上述した特許文献１に開示される絞り装置をはじめ、従来のこの種絞り装置は、次のような問題点があった。
【０００６】
即ち、絞り装置は、複数の絞り羽根を周方向に所定間隔おきに配した絞り羽根機構を備えるため、複数の絞り羽根の組合わせにより形成される絞り開口部の形状は多角形状になり、特許文献１の場合、６枚の絞り羽根の使用により六角形状になる。この結果、強い光や点光源を撮影した場合、光の回折現象が発生し、光源の回りに光の筋が放射方向に延びる光芒現象を生じる。この光の筋の数は、絞り羽根の数量や絞り値等により変化するため、カメラユーザーによっては、この光芒現象を楽しむ撮影も行われている。
【０００７】
一方、この場合、光源を正確に撮影したい観点からは、その要請に応えることができないため、特定の絞りの位置において、絞り開口部の形状が円形状になるように、絞り開口部を形成する絞り羽根の縁辺部の形状を円弧状に形成することも行われている。しかし、特定の位置における絞り羽根の縁辺部を円弧状に形成することは、反面、他の絞りの位置における絞り開口部の形状を歪ませることにもなり、この手法を採用するには限界がある。このため、通常は、開放位置及び小絞り位置においてそれぞれ円形状が生じるように形成されているのが一般的であり、より正確な光源を撮影したいカメラユーザーの要望に対して十分に応える観点からは更なる改善の余地があった。
【０００８】
本発明は、このような背景技術に存在する課題を解決したレンズの絞り装置の提供を目的とするものである。
【課題を解決するための手段】
【０００９】
本発明は、上述した課題を解決するため、レンズ鏡筒２に備える絞り調整リング３の回動変位により、当該レンズ鏡筒２の内部の周方向Ｆｆに沿って所定間隔Ｐｓ置きに配した複数の絞り羽根部４…の少なくとも一部の部位を径方向Ｆｄへ変位させて、レンズ鏡筒２の内部の光路Ｃを形成する絞り開口部５の大きさを変更可能な絞り羽根機構Ｍを備えるレンズの絞り装置１を構成するに際して、複数の絞り羽根部４…における各絞り羽根部４…の、少なくとも、一端４ｐ側における縁辺部Ｘｐ，他端４ｑ側における縁辺部Ｘｑ，及び当該一端４ｐ側と当該他端４ｑ側の中間部Ｘｍに、円弧形状部Ｓｃｐ，Ｓｃｑ，Ｓｃｍを形成し、絞り調整リング３の、少なくとも三つの回動変位位置Ｒｐ，Ｒｑ，Ｒｍで、円形状となる円形開口部５ｐ，５ｑ，５ｍを生じさせる絞り羽根機構Ｍを設けてなることを特徴とする。
【００１０】
この場合、発明の好適な態様により、絞り羽根機構Ｍは、複数の絞り羽根部４…として、少なくとも十二枚の絞り羽根部４…を含ませることができる。また、絞り羽根部４は、Ｌ形状のプレート材１１により形成するとともに、一端４ｐ側における内部側の第一縁辺部Ｘｐに第一の円弧形状部Ｓｃｐを形成し、他端４ｑ側における内部側の第二縁辺部Ｘｑに第二の円弧形状部Ｓｃｑを形成し、第一縁辺部Ｘｐと第二縁辺部Ｘｑ間の境界部（Ｘｍ）に第三の円弧形状部Ｓｃｍを形成することができる。さらに、絞り羽根部４は、一端４ｐ側に、固定筒部１２により回動可能に支持される回動部１３を設けるとともに、他端４ｑ側に、絞り調整リング３の回動変位が伝達される係合部１４を設けることができる。なお、絞り羽根部４…は、各円弧形状部Ｓｃｐ，Ｓｃｑ，Ｓｃｍの一又は二以上を、絞り調整リング３のクリック機構１５における選定したクリック位置（Ｒｐ，Ｒｑ，Ｒｍ）に対応して設けることが望ましい。
【発明の効果】
【００１１】
このような構成を有する本発明に係るレンズの絞り装置１によれば、次のような顕著な効果を奏する。
【００１２】
（１）  複数の絞り羽根部４…における各絞り羽根部４…の、少なくとも、一端４ｐ側における縁辺部Ｘｐ，他端４ｑ側における縁辺部Ｘｑ，及び当該一端４ｐ側と当該他端４ｑ側の中間部Ｘｍに、円弧形状部Ｓｃｐ，Ｓｃｑ，Ｓｃｍを形成し、絞り調整リング３の、少なくとも三つの回動変位位置Ｒｐ，Ｒｑ，Ｒｍで、円形状となる円形開口部５ｐ，５ｑ，５ｍを生じさせる絞り羽根機構Ｍを設けてなるため、少なくとも三種の円弧形状部Ｓｃｐ，Ｓｃｑ，Ｓｃｍにより、少なくとも三つの円形開口部５ｐ，５ｑ，５ｍを生じさせることができる。この結果、有効な絞り範囲において、光芒現象が生じない撮影シーンをより増加させることができ、より正確な光源を撮影したいカメラユーザーの要望に十分に応えることができるとともに、必要により光芒現象も利用可能になり、レンズとしての多様性及び趣味性をより高めることができる。
【００１３】
（２）  好適な態様により、絞り羽根機構Ｍを構成する複数の絞り羽根部４…として、少なくとも十二枚の絞り羽根部４…を含ませて構成すれば、絞り開口部５の基本形状を十二角形状にできるため、多角形状による絞り開口部５であっても、より光芒現象を抑えることができるとともに、レンズとしての多様性及び趣味性に係わる良好なパフォーマンスを確保する観点から最適な形態として実施できる。
【００１４】
（３）  好適な態様により、絞り羽根部４を、Ｌ形状のプレート材１１により形成するとともに、一端４ｐ側における内部側の第一縁辺部Ｘｐに第一の円弧形状部Ｓｃｐを形成し、他端４ｑ側における内部側の第二縁辺部Ｘｑに第二の円弧形状部Ｓｃｑを形成し、第一縁辺部Ｘｐと第二縁辺部Ｘｑ間の境界部（Ｘｍ）に第三の円弧形状部Ｓｃｍを形成すれば、Ｌ形状のプレート材１１における縁辺部Ｘｐ，Ｘｑの配置関係を効果的に利用できるため、各円弧形状部Ｓｃｐ，Ｓｃｑ，Ｓｃｍ同士の干渉を回避し、各円弧形状部Ｓｃｐ，Ｓｃｑ，Ｓｃｍ以外の縁辺部Ｘｐ，Ｘｑにより形成される絞り開口部５の形状（多角形状）が受ける歪み等の影響を最小限に抑えることができる。
【００１５】
（４）  好適な態様により、絞り羽根部４…を構成するに際し、一端４ｐ側に、固定筒部１２により回動可能に支持される回動部１３を設けるとともに、他端４ｑ側に、絞り調整リング３の回動変位が伝達される係合部１４を設ければ、絞り羽根機構Ｍの構造は、従来の基本的な構造を踏襲できるため、追加部品や追加構造を生じることなく容易かつ低コストに実施することができる。
【００１６】
（５）  好適な態様により、絞り羽根部４…における各円弧形状部Ｓｃｐ，Ｓｃｑ，Ｓｃｍの一又は二以上を、絞り調整リング３のクリック機構１５における選定したクリック位置（停止位置）Ｒｐ，Ｒｑ，Ｒｍに対応して設ければ、各円弧形状部Ｓｃｐ，Ｓｃｑ，Ｓｃｍの位置を容易かつ確実に切換可能になるため、目的の撮影シーンに対して、シャッターチャンスを逃すなどの弊害を回避することができる。
【図面の簡単な説明】
【００１７】
【図１】本発明の好適実施形態に係る絞り装置に備える絞り羽根機構の正面から見た一部抽出図を含む各絞り羽根部のレイアウト構成図、
【図２】同絞り装置を備えるレンズの一部を示す断面側面図、
【図３】同絞り装置の一部を具体的に示す断面側面図、
【図４】同絞り装置に備える絞り羽根部の側面図、
【図５】同絞り装置に備える絞り羽根部の正面図、
【図６】同絞り装置に備える絞り羽根部の変位説明図、
【図７】同絞り装置の正面から見た構成であって絞り羽根部を開放側へ変位させた状態の構造図、
【図８】同絞り装置の正面から見た構成であって絞り羽根部を絞り側へ変位させた状態の構造図、
【図９】同絞り装置に備える絞り羽根機構における各種絞り開口部を生じさせた状態の各絞り羽根部のレイアウト構成図、
【発明を実施するための形態】
【００１８】
次に、本発明に係る好適実施形態を挙げ、図面に基づき詳細に説明する。
【００１９】
まず、本実施形態に係る絞り装置１を備えるレンズＬの概略構成について、図２を参照して説明する。
【００２０】
図２のレンズＬは、例えば、一眼レフカメラ等のデジタルカメラに用いることができる交換レンズの一部を示す。このレンズＬは、固定筒部１２を含むレンズ鏡筒２を備える。レンズ鏡筒２の内部には、レンズ支持枠２１を備え、このレンズ支持枠２１の内周面には複数のレンズ体Ｌａ，Ｌｂ，Ｌｃ…が支持される。また、この種の交換レンズは、通常、マニュアル又はオートのフォーカシング調整機構及びズーミング調整機構を備えるが本実施形態では図示を省略した。
【００２１】
次に、本実施形態に係る絞り装置１の構成について、図１〜図８を参照して具体的に説明する。
【００２２】
図２において、符号３は、レンズ鏡筒２の外周面上に、回動操作可能に配設した絞り調整リングを示す。この絞り調整リング３はレンズ鏡筒２の内方に配した固定筒部１２に対して前後方向（光軸方向Ｆｃ）の変位が規制され、周方向Ｆｆ（図７）にのみ回動操作することができる。また、絞り調整リング３と固定筒部１２間にはクリック機構１５を設ける。なお、例示のクリック機構１５は、主クリック機構１５ｍと副クリック機構１５ｓの組合わせにより機能する形態を示す。即ち、通常、クリック機構１５は、主クリック機構１５ｍのみで構成されるが、例示のクリック機構１５は、主クリック機構１５ｍに加え、副クリック機構１５ｓを追加している。この副クリック機構１５ｓは、主クリック機構１５ｍにおけるクリック位置に対してピッチを半ピッチ分だけ異ならせることにより、主クリック機構１５ｍにおける任意の隣接する二つのクリック位置間の中央位置において、副クリック機構１５ｓにおける任意のクリック位置が生じるように設定している。これにより、主クリック機構１５ｍにおけるクリック数をＮｃに設定した場合、全体のクリック数は実質的に２×Ｎｃにすることができるとともに、クリック位置の間隔を実質的に１／２にすることができる。
【００２３】
この場合、主クリック機構１５ｍは、固定筒部１２に設けた段差面部１２ｍに、周方向Ｆｆに沿って所定間隔おきに形成した複数のクリック溝部２２…を有する。なお、このクリック溝部２２の断面形状はＶ溝状に形成することができる。他方、この段差面部１２ｍに対面する絞り調整リング３の前端面には、クリック係合部２３を設ける。このクリック係合部２３は、絞り調整リング３の前端面に形成した断面円形の収容穴部２４に、コイルスプリング２５を収容した後、クリックボール２６を収容して構成する。これにより、クリックボール２６は、圧縮したコイルスプリング２５により弾性変位可能に支持され、前方に付勢されることにより段差面部１２ｍに圧接し、各クリック溝部２２…に係合可能となる主クリック機構部１５ｍが構成される。また、副クリック機構１５ｓは、光軸を対称軸に、主クリック機構部１５ｍに対する１８０゜反対側の位置に設ける点を除いて主クリック機構部１５ｍと同様に構成する。
【００２４】
一方、固定筒部２の内部には、絞り羽根機構Ｍを配設するとともに、上述した絞り調整リング３の回動変位を、当該絞り羽根機構Ｍに伝達する伝達機構部３１を配設する。なお、クリック機構１５については、以降の説明を容易にするため、主クリック機構１５ｍのみで構成されるクリック機構１５を想定して説明する。
【００２５】
図３に、絞り装置１の要部の構成を断面側面図により示す。伝達機構部３１は、固定筒部１２の内周面に回動自在に装填した回動伝達筒部３２と、この回動伝達筒部３２に係合する操作プレートリング３３と、絞り調整リング３と回動伝達筒部３２間を連結する伝達ピン部３４を備える。この場合、回動伝達筒部３２の後端に係合凹部３２ｃを形成し、この係合凹部３２ｃに、操作プレートリング３３から前方へ突出する係合突片部３３ｓを収容して係止させる。また、回動伝達筒部３２の前端近傍の外周面には、伝達ピン部３４の内端を螺着結合し、かつ外端部３４ｃを、絞り調整リング３の内周部に設けた係合凹部３５に収容して係合させる。このため、固定筒部１２には、伝達ピン部３４が貫通し、かつ伝達ピン部３４の変位をガイドするガイド孔部３６を形成する。
【００２６】
他方、固定筒部１２の後端には、中心方向へ突出するリングプレート状の絞り羽根支持部３７を一体に形成する。そして、この絞り羽根支持部３７の前面部３７ｆに、絞り羽根機構Ｍを配設する。この絞り羽根機構Ｍは、周方向Ｆｆに配設した複数（例示は十二枚）の絞り羽根部４…により構成される。
【００２７】
図４及び図５に、絞り羽根部４の具体的形状を示す。図４は絞り羽根部４の側面形状、図５は絞り羽根部４の正面形状をそれぞれ示す。絞り羽根部４は、一枚のＬ形状のプレート材１１により形成し、図５に示すように、外側（山側）は円弧形状に形成する。また、Ｌ形状のプレート材１１の一端４ｐ側における内部側（光軸側）には第一縁辺部Ｘｐを形成するとともに、この第一縁辺部Ｘｐに対して直角関係となる他端４ｑ側における内部側（光軸側）には第二縁辺部Ｘｑを形成する。
【００２８】
そして、一端４ｐ側における第一縁辺部Ｘｐに第一の円弧形状部Ｓｃｐを形成するとともに、他端４ｑ側における第二縁辺部Ｘｑに第二の円弧形状部Ｓｃｑを形成し、さらに、第一縁辺部Ｘｐと第二縁辺部Ｘｑ間の境界位置（一端４ｐ側と他端４ｑ側の中間部Ｘｍ）に第三の円弧形状部Ｓｃｍを形成する。この場合、第一の円弧形状部Ｓｃｐの曲率半径は、最も大きくなり、例示の場合、開放位置で絞り開口部５が円形状になる曲率半径を選定した。図５に示す領域Ａ１が第一の円弧形状部Ｓｃｐの範囲となる。第三の円弧形状部Ｓｃｍの曲率半径は、最も小さくなり、例示の場合、小絞り位置で絞り開口部５が円形状になる曲率半径を選定した。図５に示す領域Ａ３が第三の円弧形状部Ｓｃｍの範囲となる。第二の円弧形状部Ｓｃｑの曲率半径は、第一の円弧形状部Ｓｃｐと第三の円弧形状部Ｓｃｍの中間の曲率半径を選定した。図５に示す領域Ａ２が第二の円弧形状部Ｓｃｑの範囲となる。即ち、曲率半径の大きさは、（Ｓｃｐ）＞（Ｓｃｑ）＞（Ｓｃｍ）の関係となる。
【００２９】
このように、絞り羽根部４を形成するに際し、Ｌ形状のプレート材１１により形成するとともに、一端４ｐ側における内部側の第一縁辺部Ｘｐに第一の円弧形状部Ｓｃｐを形成し、他端４ｑ側における内部側の第二縁辺部Ｘｑに第二の円弧形状部Ｓｃｑを形成し、第一縁辺部Ｘｐと第二縁辺部Ｘｑ間の境界部（Ｘｍ）に第三の円弧形状部Ｓｃｍを形成すれば、Ｌ形状のプレート材１１における縁辺部Ｘｐ，Ｘｑの配置関係を効果的に利用できるため、各円弧形状部Ｓｃｐ，Ｓｃｑ，Ｓｃｍ同士の干渉を回避し、各円弧形状部Ｓｃｐ，Ｓｃｑ，Ｓｃｍ以外の縁辺部Ｘｐ，Ｘｑにより形成される絞り開口部５の形状（多角形状）が受ける歪み等の影響を最小限に抑えることができる。
【００３０】
また、絞り羽根部４は、絞り羽根支持部３７への組付時に、一端４ｐ側が固定端側となり、他端４ｑ側が自由端側となる。このため、図４及び図５に示すように、絞り羽根部４の一端４ｐ側の近傍に、絞り羽根支持部３７（固定筒部１２）により回動可能に支持される突起軸を用いた回動部１３を設けるとともに、他端４ｑ側の近傍に、絞り調整リング３の回動変位が伝達される突起軸を用いた係合部１４を設ける。絞り羽根部４…を、このように構成すれば、絞り羽根機構Ｍの構造は、従来の基本的な構造を踏襲できるため、追加部品や追加構造を生じることなく容易かつ低コストに実施することができる。
【００３１】
そして、このように構成する絞り羽根部４…を十二枚用意し、レンズ鏡筒２（固定筒部１２）の内部における絞り羽根支持部３７の前面部３７ｆに、周方向Ｆｆに沿って所定間隔Ｐｓ置きに配設する。各絞り羽根部４…の位置関係を図１に示す。この場合、絞り羽根支持部３７に対して絞り羽根部４を組付けるに際しては、図３に示すように、絞り羽根支持部３７に軸受孔部３８を光軸方向Ｆｃに形成し、この軸受孔部３８に、絞り羽根部４の回動部１３を挿入する。これにより、絞り羽根部４の回動部１３は、軸受孔部３８を支点に回動自在に支持される。他の絞り羽根部４…も同様に組付けを行う。このため、図示は省略したが、同様の軸受孔部３８…が周方向Ｆｆに沿って一定間隔置きに計十二形成されている。これにより、絞り羽根機構Ｍが構成される。
【００３２】
このように、絞り羽根機構Ｍを構成する複数の絞り羽根部４…として、少なくとも十二枚の絞り羽根部４…を含ませて構成すれば、絞り開口部５の基本形状を十二角形状にできるため、多角形状による絞り開口部５であっても、より光芒現象を抑えることができるとともに、レンズとしての多様性及び趣味性に係わる良好なパフォーマンスを確保する観点から最適な形態として実施できる。
【００３３】
一方、この絞り羽根機構Ｍには、前述した操作プレートリング３３が対面する。この操作プレートリング３３には、図７に示すように、径方向Ｆｄに対して傾斜する係合スリット部３９…を、周方向Ｆｆに沿って一定間隔置きに計十二形成し、各絞り羽根部４…における係合部１４…を対応する係合スリット部３９…に挿入して係合させる。この場合、一枚の絞り羽根部４は、図７に示すように、絞り羽根部４が開放位置において係合部１４が係合スリット部３９の外側端に位置するように、当該係合スリット部３９の位置を選定する。
【００３４】
これにより、レンズ鏡筒２に備える絞り調整リング３の回動変位により、当該レンズ鏡筒２の内部の周方向Ｆｆに沿って所定間隔Ｐｓ置きに配した複数の絞り羽根部４…の少なくとも一部の部位を径方向Ｆｄへ変位させて、レンズ鏡筒２の内部の光路Ｃを形成する絞り開口部５の大きさを変更可能な絞り羽根機構Ｍを備えるレンズの絞り装置１が構成される。
【００３５】
次に、本実施形態に係るレンズの絞り装置１の全体機能及び細部機能について、図１〜図９を参照して説明する。
【００３６】
最初に、絞り装置１の全体機能（基本的機能）について、図２〜図８を参照して説明する。
【００３７】
今、絞り調整リング３は、操作プレートリング３３が図７に示す開放位置Ｋｏにあるものとする。この絞り位置Ｋｏにおいて、カメラユーザーが、絞り調整リング３を絞り方向へ回動操作すれば、この回動変位は、図３に示すように、係合凹部３５に、伝達ピン部３４の外端部３４ｃが係合（係止）しているため、この伝達ピン部３４を介して回動伝達筒部３２に伝達される。これにより、回動伝達筒部３２は、絞り調整リング３と一体に回動変位する。また、この回動伝達筒部３２の回動変位により、係合凹部３２ｃに係合突片部３３ｓが係合（係止）する操作プレートリング３３も一体に回動変位する。さらに、操作プレートリング３３に形成された各係合スリット部３９…には、各絞り羽根部４…における自由端側となる他端４ｑ側の係合部１４…が係合しているため、各係合部１４…は操作プレートリング３３の回動変位に追従する。
【００３８】
この際、各絞り羽根部４…の固定端側となる一端４ｐ…側における各回動部１３…の位置は固定されているため、各係合部１４…は係合する係合スリット部３９…に沿って変位する。即ち、操作プレートリング３３の回動変位とともに、自由端側となる各絞り羽根部４…の他端４ｑ…が固定筒部１２の中心方向へ変位し、絞り調整リング３を、図８に示す小絞り位置Ｋｃまで回動操作すれば、各絞り羽根部４…の中間部Ｘｍは固定筒部１２の中心近傍まで変位する。これにより、絞り開口部５は、開放位置における最大開口から小絞り位置における最小開口まで変化する絞り調整を行なうことができる。なお、図８中、矢印Ｆｒは、開放位置Ｋｏから小絞り位置Ｋｃまでの操作プレートリング３３の変位範囲を示す。
【００３９】
次に、絞り装置１における細部機能（要部の機能）について、主に、図１，図５，図６及び図９を参照して説明する。
【００４０】
上述したように、絞り装置１の使用時において、絞り調整リング３が、図７に示す位置、即ち、開放位置Ｋｏにある場合、絞り羽根機構Ｍの各絞り羽根部４…は、図９（ａ）に示す位置となる。この位置では、図７に示すように、最も曲率半径が大きい第一の円弧形状部Ｓｃｐにより最も開口面積が大きい絞り開口部５が形成されるとともに、図９（ａ）に示す円形状の円形開口部５ｐが形成される。
【００４１】
図６は、絞り羽根部４における回動部１３から延出した直線（Ｒｐ，Ｒ２…）により、前述した絞り調整リング３に付設したクリック機構１５のクリック位置Ｒｐ，Ｒ２，Ｒｍ，Ｒ４，Ｒ５，Ｒ６，Ｒ７…Ｒ１２，Ｒｑを順番に示している。この場合、クリック位置Ｒｐが絞り調整リング３の開放位置（図７）に対応するとともに、クリック位置Ｒｑが絞り調整リング３の小絞り位置（図８）に対応する。
【００４２】
したがって、絞り調整リング３が開放位置Ｋｏとなる最初（一番目）のクリック位置Ｒｐにあれば、各絞り羽根部４…の係合部１４…は、図９（ａ）の位置に変位し、第一の円弧形状部Ｓｃｐ…の組合わせにより円形状の絞り開口部５、即ち、円形開口部５ｐが形成される。そして、絞り調整リング３を絞り方向へ回動操作し、三番目のクリック位置Ｒｑへ変位させれば、各絞り羽根部４…の係合部１４…は、図１の位置に変位し、第二の円弧形状部Ｓｃｑ…の組合わせにより円形状の絞り開口部５、即ち、円形開口部５ｑが形成される。さらに、絞り調整リング３を絞り方向へ回動操作し、十三番目のクリック位置Ｒｍへ変位させれば、各絞り羽根部４…の係合部１４…は、図９（ｂ）の位置に変位し、第三の円弧形状部Ｓｃｍ…の組合わせにより円形状の絞り開口部５、即ち、円形開口部５ｍが形成される。
【００４３】
このように、絞り羽根部４…における各円弧形状部Ｓｃｐ，Ｓｃｑ，Ｓｃｍの一又は二以上を、絞り調整リング３のクリック機構１５における選定したクリック位置（停止位置）Ｒｐ，Ｒｑ，Ｒｍに対応して設ければ、各円弧形状部Ｓｃｐ，Ｓｃｑ，Ｓｃｍの位置を容易かつ確実に切換可能になるため、目的の撮影シーンに対して、シャッターチャンスを逃すなどの弊害を回避することができる。
【００４４】
他方、これら三つのクリック位置Ｒｐ，Ｒｑ，Ｒｍ以外のクリック位置Ｒ２，Ｒ４，Ｒ５，Ｒ６，Ｒ７…Ｒ１２では、領域Ａ１，Ａ２及びＡ３以外における第一縁辺部Ｘｐ又は第二縁辺部Ｘｑが含まれる絞り開口部５が形成される。図９（ｃ）に、一例として、クリック位置Ｒ６における絞り開口部５の形状を示す。この場合、十二角形状の絞り開口部５ｅが形成される。他のクリック位置Ｒ２，Ｒ４，Ｒ５…においても、十二角形状を基本とした同様の絞り開口部５が形成される。
【００４５】
これにより、三つのクリック位置Ｒｐ，Ｒｑ，Ｒｍでは、円形状となる円形開口部５ｐ，５ｑ，５ｍがそれぞれ形成されるため、強い光や点光源を撮影した場合であっても、光芒現象の発生が回避され、正確な光源を撮影することができる。一方、三つのクリック位置Ｒｐ，Ｒｑ，Ｒｍ以外のクリック位置Ｒ２，Ｒ４，Ｒ５，Ｒ６，Ｒ７…Ｒ１２では、十二角形状の絞り開口部５を基本として適度の光芒現象を発生させることができる。
【００４６】
よって、このような本実施形態に係るレンズの絞り装置１によれば、基本構成として、複数の絞り羽根部４…における各絞り羽根部４…の、少なくとも、一端４ｐ側における縁辺部Ｘｐ，他端４ｑ側における縁辺部Ｘｑ，及び当該一端４ｐ側と当該他端４ｑ側の中間部Ｘｍに、円弧形状部Ｓｃｐ，Ｓｃｑ，Ｓｃｍを形成し、絞り調整リング３の、少なくとも三つの回動変位位置Ｒｐ，Ｒｑ，Ｒｍで、円形状となる円形開口部５ｐ，５ｑ，５ｍを生じさせる絞り羽根機構Ｍを設けてなるため、少なくとも三種の円弧形状部Ｓｃｐ，Ｓｃｑ，Ｓｃｍにより、少なくとも三つの円形開口部５ｐ，５ｑ，５ｍを生じさせることができる。この結果、有効な絞り範囲において、光芒現象が生じない撮影シーンをより増加させることができ、より正確な光源を撮影したいカメラユーザーの要望に十分に応えることができるとともに、必要により光芒現象も利用可能になり、レンズとしての多様性及び趣味性をより高めることができる。
【００４７】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。
【００４８】
例えば、実施形態では、第二の円弧形状部Ｓｃｑ…の組合わせにより円形開口部５ｑが形成される位置として、三番目のクリック位置Ｒｑを選定した場合を示したが、この位置は、第二の円弧形状部Ｓｃｑ…を形成する第二縁辺部Ｘｑにおける位置を選定することにより、二番目のクリック位置Ｒ２や四番目のクリック位置Ｒ４、更には、他のクリック位置Ｒ５…に生じさせることも可能である。また、三つの回動変位位置Ｒｐ，Ｒｑ，Ｒｍで円形開口部５ｐ，５ｑ，５ｍを生じさせる形態を示したが、絞り羽根部４を形成するＬ形状のプレート材１１の形状変更により、四つ以上の回動変位位置Ｒｐ…において、円形開口部５ｐ…を生じさせることも可能である。なお、プレート材１１の形状変更には、例えば、第三縁辺部や第四縁辺部を追加する場合なども含まれる。したがって、一端４ｐ側と他端４ｑ側の中間部Ｘｍには、一又は二以上の異なる位置Ｘｍ…が含まれる。一方、絞り羽根機構Ｍは、複数の絞り羽根部４…として、十二枚の絞り羽根部４…を用いた場合を示したが、十枚以下、或いは十三枚以上の任意の枚数により実施可能である。さらに、実施形態では、絞り羽根部４…は、各円弧形状部Ｓｃｐ，Ｓｃｑ，Ｓｃｍの一又は二以上を、絞り調整リング３のクリック機構１５における選定したクリック位置Ｒｐ，Ｒｑ，Ｒｍに対応して設ける場合を示したが、必ずしもクリック位置Ｒｐ，Ｒｑ，Ｒｍに対応して設けることを要しない。
【産業上の利用可能性】
【００４９】
本発明に係る絞り装置１は、デジタルカメラやビデオカメラ等の各種光学機器のレンズ、特に、レンズに備える絞り装置に利用することができる。この際、レンズは交換レンズ等の単品であってもよいし、非交換式のレンズとして光学機器に一体化されたレンズであってもよい。
【符号の説明】
【００５０】
１：絞り装置，２：レンズ鏡筒，３：絞り調整リング，４…：絞り羽根部，４ｐ：絞り羽根部の一端，４ｑ：絞り羽根部の他端，５：絞り開口部，５ｐ：円形開口部，５ｑ：円形開口部，５ｍ：円形開口部，１１：プレート材，１２：固定筒部，１３：回動部，１４：係合部，１５：クリック機構，Ｆｆ：周方向，Ｆｄ：径方向，Ｐｓ：所定間隔，Ｃ：光路，Ｍ：絞り羽根機構，Ｘｐ：縁辺部（第一縁辺部），Ｘｑ：縁辺部（第二縁辺部），Ｘｍ：一端側と他端側の中間部，Ｓｃｐ：円弧形状部（第一の円弧形状部），Ｓｃｑ：円弧形状部（第二の円弧形状部），Ｓｃｍ：円弧形状部（第三の円弧形状部），Ｒｐ：回動変位位置（クリック位置），Ｒｑ：回動変位位置（クリック位置），Ｒｍ：回動変位位置（クリック位置）
【図１】
2020190612.tif 000003
【図２】
2020190612.tif 000004
【図３】
2020190612.tif 000005
【図４】
2020190612.tif 000006
【図５】
2020190612.tif 000007
【図６】
2020190612.tif 000008
【図７】
2020190612.tif 000009
【図８】
2020190612.tif 000010
【図９】
2020190612.tif 000011